(57)【特許請求の範囲】
【請求項１】
洗浄水として水道上水から供給された水道水が流れる洗浄水流路の下流端に前記洗浄水をキッチンシンクに吐出するための吐出口を設け、洗浄水流路に気体を混入する気体混入部と洗剤を供給するための洗剤供給部を設け、洗浄水流路の下流側端部に洗浄水を整流する整流部を設け、該整流部が洗浄水の流れ方向において断面が同一の円形で且つ流路長さが流路直径の２〜５倍となる流路であり、洗浄水流路の洗剤供給部よりも上流側に吐出口への洗浄水の供給を停止するための止水弁を設け、洗浄水流路の止水弁よりも下流側で且つ洗剤供給部よりも上流側に吐出口よりも上方に配置される大気開放弁を設けた気泡入り洗浄水吐出装置であって、前記洗浄水流路の一部を流し台に引き出し自在に設けたホースと、該ホースの一端に接続されて移動自在となる吐出ノズルとで構成し、該吐出ノズルに、洗剤を貯留する洗剤貯留部、前記整流部、及び前記吐出口を設け、前記洗剤供給部を前記吐出ノズルに設けて前記洗剤貯留部からの洗剤を洗浄水流路に供給するものとし、前記ホースの長さを、吐出ノズルを最大限上方に位置するように移動した場合にも吐出口が大気開放弁よりも下方に位置する長さにしたことを特徴とする気泡入り洗浄水吐出装置。
【請求項２】
前記洗浄水流路の気体混入部よりも下流側に洗浄水中の気泡を微細化する気泡微細化部を設けて成ることを特徴とする請求項１に記載の気泡入り洗浄水吐出装置。
【請求項３】
前記吐出ノズルを流し台に設けた水栓カランとは異なる位置に設けて成ることを特徴とする請求項１又は請求項２に記載の気泡入り洗浄水吐出装置。
【請求項４】
前記洗剤供給部からの洗剤供給の有無を切り替えるための切替手段を備えて成ることを特徴とする請求項１乃至３のいずれか１項に記載の気泡入り洗浄水吐出装置。
【請求項５】
前記洗浄水流路の上流側を水道上水に接続し、水道圧により洗浄水が洗浄水流路を流れる際に発生する負圧を利用して洗剤供給部から洗浄水流路に洗剤を供給可能なものであることを特徴とする請求項１乃至４のいずれか１項に記載の気泡入り洗浄水吐出装置。
【請求項６】
前記洗浄水流路の上流側を水道上水に接続し、水道圧により洗浄水が洗浄水流路を流れる際に発生する負圧を利用して気体混入部から洗浄水流路に気体を供給可能なものであることを特徴とする請求項１乃至５のいずれか１項に記載の気泡入り洗浄水吐出装置。
【請求項７】
前記洗剤供給部からの洗剤供給の有無を切り替えるための切替手段を備え、該切替手段の操作スイッチを前記吐出ノズルに設けて成ることを特徴とする請求項１乃至６のいずれか１項に記載の気泡入り洗浄水吐出装置。
【請求項８】
前記操作スイッチは押釦スイッチであって、該押釦スイッチの押圧時に洗剤供給部から洗剤を供給すると共に非押圧時に洗剤供給部からの洗剤供給を停止することを特徴とする請求項７に記載の気泡入り洗浄水吐出装置。
【請求項９】
前記気体混入部で気体を混入してなる気泡入り洗浄水のボイド率を１０〜３０％に設定することを特徴とする請求項１乃至８のいずれか１項に記載の気泡入り洗浄水吐出装置。
【請求項１０】
前記洗剤供給部から洗剤を供給することで得られる洗浄水の洗剤希釈濃度を５０００〜１００００倍に設定することを特徴とする請求項１乃至９のいずれか１項に記載の気泡入り洗浄水吐出装置。
【発明の詳細な説明】
【技術分野】
【０００１】
本発明は気泡入り洗浄水吐出装置に関する。
【背景技術】
【０００２】
流し台に設置した通常の水栓は吐出口から水道水をそのまま吐出するものであり、洗浄力が低くキッチンシンクの表面や食器等の被洗浄物を綺麗に洗浄できない（例えば特許文献１）。
【０００３】
また、従来、洗浄水に気体を混入して気泡入り洗浄水を吐出する気泡入り洗浄水吐出装置も存在し、この気泡入り洗浄水吐出装置から吐出される気泡入り洗浄水は含有する気泡により見かけの体積を増やすと共に吐出速度を高めるので、通常の気泡を含まない水と比較して衝撃力が高く洗浄力が高いものである。
【０００４】
従って、上記気泡入り洗浄水吐出装置からの気泡入り洗浄水をキッチンシンクに吐出するようにすれば、被洗浄物を綺麗に洗浄することは可能であるが、気泡入り洗浄水は既述のように吐出速度が高く、また気泡を含むために水流が乱れやすいため、気泡入り洗浄水がキッチンシンクの表面や食器等の被洗浄物に当たった際に大きく水はねし周囲を濡らすという問題が生じる。
【特許文献１】特開２０００−３４５５９５号公報
【発明の開示】
【発明が解決しようとする課題】
【０００５】
本発明は上記従来の問題点に鑑みて発明したものであって、洗浄効果の高い気泡入り洗浄水をキッチンシンクに吐出して、被洗浄物を効率良く且つ効果的に洗浄でき、尚且つ気泡入り洗浄水がキッチンシンクの表面や皿等の被洗浄物に当たった際に水はねが生じることを防止できる気泡入り洗浄水吐出装置を提供することを課題とするものである。
【課題を解決するための手段】
【０００６】
上記課題を解決するために本発明に係る気泡入り洗浄水吐出装置は、洗浄水として水道上水から供給された水道水が流れる洗浄水流路３の下流端に前記洗浄水をキッチンシンク１３に吐出するための吐出口１２を設け、洗浄水流路３に気体を混入する気体混入部８と洗剤を供給するための洗剤供給部９を設け、洗浄水流路３の下流側端部に洗浄水を整流する整流部１１を設け、該整流部１１が洗浄水の流れ方向において断面が同一の円形で且つ流路長さＬが流路直径ａの２〜５倍となる流路であり、洗浄水流路３の洗剤供給部９よりも上流側に吐出口１２への洗浄水の供給を停止するための止水弁６を設け、洗浄水流路３の止水弁６よりも下流側で且つ洗剤供給部９よりも上流側に吐出口１２よりも上方に配置される大気開放弁７を設けた気泡入り洗浄水吐出装置であって、前記洗浄水流路３の一部を流し台２に引き出し自在に設けたホース１６と、該ホース１６の一端に接続されて移動自在となる吐出ノズル１４とで構成し、該吐出ノズル１４に、洗剤を貯留する洗剤貯留部２１、前記整流部１１、及び前記吐出口１２を設け、前記洗剤供給部９を前記吐出ノズル１４に設けて前記洗剤貯留部２１からの洗剤を洗浄水流路３に供給するものとし、前記ホース１６の長さを、吐出ノズル１４を最大限上方に位置するように移動した場合にも吐出口１２が大気開放弁７よりも下方に位置する長さにしたことを特徴とする。このように洗浄水流路３に気体を混入する気体混入部８を設けることで、吐出口１２から洗浄効果の高い気泡入り洗浄水を吐出することができる。また、洗浄水流路３の下流側端部に洗浄水を整流する整流部１１を設けることで、気泡入り洗浄水を整流部１１にて整流した後に吐出口１２から吐出でき、気泡入り洗浄水が被洗浄物に当たった際に水はねが生じることを防止できる。また、前記洗浄水流路３に洗剤を供給するための洗剤供給部９を設けることで、吐出口１２から洗剤を混入した気泡入り洗浄水を吐出でき、洗剤の効果により気泡入り洗浄水の洗浄効果を一層高めることができ、また、洗剤が有する粘性により水はねを一層防止できる。また、前記洗浄水流路３の洗剤供給部９よりも上流側に吐出口１２への洗浄水の供給を停止するための止水弁６を設け、洗浄水流路３の止水弁６よりも下流側で且つ洗剤供給部９よりも上流側に吐出口１２よりも上方に配置される大気開放弁７を設けることで、止水弁６を閉じて洗浄水流路３への洗浄水の供給が停止した状態で大気開放弁７を開いて、洗浄水流路３の大気開放弁７よりも下流側部分に溜まった洗浄水を吐出口１２から排出できる。また、これにより、特に洗剤を混入した気泡入り洗浄水を吐出した後にあっても、洗浄水流路３に残った洗剤等を洗浄水流路３から排出でき、未使用時に誤って洗剤を含む洗浄水が吐出口１２から吐出したり、止水弁６側に逆流することを防止できる。また、洗剤貯留部２１を移動自在の吐出ノズル１４に設けることで、洗剤貯留部２１に通じる洗剤供給部９を吐出口１２に近い位置に設けることができ、洗浄水流路３に洗剤が残留したとしてもこれを容易に排出できる。また、前記整流部１１及び吐出口１２を移動自在の吐出ノズル１４に設けることで、吐出ノズル１４の使い勝手が良い。また、前記吐出ノズル１４を流し台２に引き出し自在に設けたホース１６の一端に接続し、該ホース１６で洗浄水流路３の一部を構成することで、未使用時にホース１６を流し台２に収納できて収まりが良い。
【０００７】
また、前記洗浄水流路３の気体混入部８よりも下流側に洗浄水中の気泡を微細化する気泡微細化部１０を設けることが好ましい。この場合、汚れへの付着性、浸透性、剥離効果が高い微細気泡入り洗浄水を吐出口１２から吐出でき、被洗浄物に付着した油汚れをより効果的に落とすことができる。また、特にこの微細気泡は泡径が非常に小さいために洗浄水の水流を乱しにくく、このため水はねを一層防止できる。
【０００８】
また、前記吐出ノズル１４を流し台２に設けた水栓カラン２７とは異なる位置に設けることが好ましい。吐出ノズル１４及び水栓カラン２７を使い勝手の良い位置に配置できる。
【００１１】
また、前記洗剤供給部９からの洗剤供給の有無を切り替えるための切替手段２２を備えることが好ましい。切替手段２２により吐出口１２から洗剤を含まない気泡入り洗浄水と洗剤を含む気泡入り洗浄水を選択して吐出でき、洗剤を含む気泡入り洗浄水を吐出して洗浄を行った後に洗剤を含まない気泡入り洗浄水を吐出してすすぐ等できる。
【００１２】
また、前記洗浄水流路３の上流側を水道上水４に接続し、水道圧により洗浄水が洗浄水流路３を流れる際に発生する負圧を利用して洗剤供給部９から洗浄水流路３に洗剤を供給可能なものであることが好ましい。水道圧を利用して洗剤を洗剤供給部９から洗浄水流路３に供給できる。
【００１３】
また、前記洗浄水流路３の上流側を水道上水４に接続し、水道圧により洗浄水が洗浄水流路３を流れる際に発生する負圧を利用して気体混入部８から洗浄水流路３に気体を供給可能なものであることが好ましい。水道圧を利用して洗浄水流路３の外部の気体を気体混入部８から洗浄水流路３に供給できる。
【００１８】
また、前記洗剤供給部９からの洗剤供給の有無を切り替えるための切替手段２２を備え、該切替手段２２の操作スイッチ２６を前記吐出ノズル１４に設けることが好ましい。この場合、切替手段２２により吐出口１２から洗剤を含まない気泡入り洗浄水と洗剤を含む気泡入り洗浄水を選択して吐出でき、洗剤を含む気泡入り洗浄水を吐出して洗浄を行った後に洗剤を含まない気泡入り洗浄水を吐出してすすぐことができる。また、切替手段２２の操作スイッチ２６を吐出ノズル１４に設けることで、操作しやすい位置に操作スイッチ２６を配置でき、洗剤供給の切替えが容易になる。
【００１９】
また、前記操作スイッチ２６は押釦スイッチ２６ａであって、該押釦スイッチ２６ａの押圧時に洗剤供給部９から洗剤を供給すると共に非押圧時に洗剤供給部９からの洗剤供給を停止することが好ましい。誤って洗剤を混入した気泡入り洗浄水が吐出することを防止できる。
【００２０】
また、前記気体混入部８で気体を混入してなる気泡入り洗浄水のボイド率を１０〜３０％に設定することが好ましい。気泡による洗浄効果を高めると共に気泡により洗浄水の流れが乱れることを防止でき、また、洗剤による粘性を高めて水はね防止効果を高めることができる。
【００２１】
また、前記洗剤供給部９から洗剤を供給することで得られる洗浄水の洗剤希釈濃度を５０００〜１００００倍に設定することが好ましい。洗剤の希釈濃度の高い気泡入り洗浄水とすることで、多量の気泡を含むムース状の気泡入り洗浄水とすることができ、洗浄効果を高めることができ、また適度の粘性を有する洗剤を含む気泡入り洗浄水を吐出でき、水はね防止効果を高めることができる。
【発明の効果】
【００２２】
本発明では、洗浄効果の高い気泡入り洗浄水をキッチンシンクに吐出することができ、被洗浄物を効率良く且つ効果的に洗浄でき、尚且つ気泡入り洗浄水がキッチンシンクの表面や皿等の被洗浄物に当たった際に水はねが生じることを防止できる。
【発明を実施するための最良の形態】
【００２３】
以下、本発明を添付図面に示す実施形態に基づいて説明する。
【００２４】
図１に本実施形態の一例の気泡入り洗浄水吐出装置の概略構成図を示す。本例のキッチンシンク１３用の気泡入り洗浄水吐出装置１は、洗浄水が流れる流路として台所の流し台２に設けた洗浄水流路３を備えている。洗浄水流路３の上流端は水道上水４（所謂水道水を供給する水道管）に連通接続してあり、洗浄水流路３には水源となる水道上水４から洗浄水として水道水が供給される。洗浄水流路３には上流側から順に定流量弁５（減圧弁）、止水弁６、大気開放弁７を設けてあり、更に下流側に図３に示すように気体混入部８、洗剤供給部９、気泡微細化部１０、整流部１１を設けてあり、これらを順に通過した洗浄水は洗浄水流路３の下流端に設けた吐出口１２から流し台２に設けたキッチンシンク１３に吐出される。
【００２５】
定流量弁５及び止水弁６は流し台２内を通る洗浄水流路３に設けてあり、流し台２に内装されている。定流量弁５は水道圧により水道上水４から供給された洗浄水を減圧し流量を一定にして下流側へと送る。止水弁６は電磁弁６ａからなり、該止水弁６を開閉することで吐出口１２から洗浄水を吐出するか否かを切り替える。
【００２６】
洗浄水流路３の止水弁６よりも下流側の流路は、上流側から順に設けた立上管１５、ホース１６、吐出ノズル１４で構成してある。立上管１５は、流し台２の上面を構成するカウンタ１８から上方に伸び、充分な高さで下方に折り返した逆Ｕ字状の管からなり、該立上管１５の上端部には大気開放弁７を設けている。大気開放弁７は洗浄水流路３を流れる洗浄水の水圧の変化により開閉するフロート弁であって、止水弁６を開いて洗浄水が洗浄水流路３を流れている時には閉成して洗浄水流路３を密閉状態とし、また、止水弁６を閉じて洗浄水の流れが停止している時には開成して洗浄水流路３を大気開放状態とする。
【００２７】
立上管１５の下流端はカウンタ１８から流し台２に入り、流し台２の内部において屈曲自在なホース１６の一端と接続してある。ホース１６の他端側は流し台２から引き出され、該ホース１６の他端には図４に示す吐出ノズル１４の後端部を接続してあり、これにより吐出ノズル１４は流し台２に対して移動自在となっている。また、この吐出ノズル１４は図２に示す流し台２のキッチンシンク１３の開口縁部に設けた飲用水を吐出する水栓カラン２７とは別体であり、該水栓カラン２７とは異なる位置に設けてある。このため吐出ノズル１４及び水栓カラン２７を使い勝手の良い位置に配置できる。また、ホース１６の長さは、最大限上方に位置するように吐出ノズル１４を移動した場合にも吐出ノズル１４の吐出口１２及び洗剤供給部９が大気開放弁７よりも下方に位置する長さとしてある。
【００２８】
なお、ホース１６は、可撓性を有することで屈曲自在なものであっても良いし、また蛇腹ホースのように伸縮自在且つ屈曲自在であっても良い。また、ホース１６は流し台２のキッチンシンク１３の周縁部等から引き出し自在としたものであっても良い。ホース１６を流し台２に対して引き出し自在とすれば、未使用時にホース１６を流し台２に収納できて収まりが良い。
【００２９】
吐出ノズル１４の内部には図３に示す上流部１９ａ、中流部１９ｂ、下流部１９ｃで構成される内部流路１９を形成してあり、直線状の内部流路１９の上流端となる一端はホース１６の他端に連通接続される。内部流路１９の上流部１９ａ内には絞り管２０を設けてあり、絞り管２０の下流側の管径は上流側の管径よりも短い。内部流路１９の上流部１９ａの内周面において、絞り管２０の外周面に対向する位置又は絞り管２０よりも若干下流側の位置には気体取込口８ａからなる気体混入部８と洗剤取込口９ａからなる洗剤供給部９を設けてあり、図示例では絞り管２０の外周面に対向する位置に気体混入部８を設けると共に、絞り管２０の若干下流側に位置する内周面に洗剤供給部９を設けている。なお、図示例では気体混入部８よりも下流側に洗剤供給部９を設けてあるが、気体混入部８よりも上流側に洗剤供給部９を設けても良い。
【００３０】
気体混入部８は吐出ノズル１４の外部に連通して大気に開放している。従って、止水弁６を開いて洗浄水が絞り管２０を通過すると、内部流路１９の気体混入部８近傍で負圧が発生し、この負圧により外気が気体混入部８より内部流路１９に取り込まれ、気泡を含有した気泡入り洗浄水となる。このようにエジェクタ効果を利用して気体混入部８より気泡となる気体を供給できるので、別途ポンプ等の供給手段を設ける必要がなくてコストを削減できる。なお、気体混入部８から洗浄水流路３に供給される空気の供給量は空気を混合してなる気泡入り洗浄水のボイド率（気泡混入率）が１０〜３０％となるように設定してあり、これにより気泡による洗浄効果を高めると共に気泡により洗浄水の流れが乱れることを防止でき、また、洗剤による粘性を高めて水はね防止効果を高めることができる。
【００３１】
また、洗剤供給部９は洗剤貯留部２１に連通している。洗剤貯留部２１は吐出ノズル１４に設けた洗剤タンク２１ａからなり、洗剤タンク２１ａには洗剤補給口３５（図４参照）を介して洗剤を補給できるようになっている。なお、洗剤補給口３５には着脱自在なキャップ１７を取り付けてあり、該キャップ１７により洗剤補給口３５は閉塞される。洗剤貯留部２１から洗剤供給部９までの流路の途中には洗剤貯留部２１から洗浄水流路３への洗剤の供給の有無を切り替えるための切替手段２２として開閉弁２２ａを設けている。図４のように開閉弁２２ａの操作スイッチ２６は吐出ノズル１４に設けてあり、該操作スイッチ２６を操作することで開閉弁２２ａの開閉を切り替えられるようになっている。
【００３２】
操作スイッチ２６は押釦スイッチ２６ａからなり、吐出ノズル１４に設けた開閉弁２２ａは押釦スイッチ２６ａの操作に連動するよう押釦スイッチ２６ａに接続されている。吐出ノズル１４には押釦スイッチ２６ａ又は開閉弁２２ａに対して開閉弁２２ａが閉じる方向に付勢するばね４０を設けてあり、これにより開閉弁２２ａは押釦スイッチ２６ａを押圧した時に開き、非押圧時にはばね４０の付勢により開閉弁２２ａを閉じるように設定されている。即ち、押釦スイッチ２６ａの押圧時にのみ洗剤供給部９から洗剤を供給すると共に非押圧時に洗剤供給部９からの洗剤供給を停止するように設定されている。これにより、誤って洗剤を混入した気泡入り洗浄水が吐出することを防止できる。
【００３３】
洗剤タンク２１ａにはキッチンシンク１３の表面や食器等の被洗浄物を洗浄するための洗剤が貯留される。この洗剤としては洗剤原液又は洗剤原液を水で希釈したもの等が挙げられる。この洗剤は止水弁６を開き且つ開閉弁２２ａを開くことで、洗浄水流路３の一部を構成する内部流路１９に供給できるようになっている。即ち、止水弁６を開いて洗浄水が図３に示す絞り管２０を通過した時には内部流路１９の洗剤取込口９ａ近傍で負圧が発生し、この負圧により洗剤タンク２１ａ内の洗剤が洗剤供給部９より内部流路１９に供給され、これにより水道水よりなる洗浄水に洗剤が混入される。このようにエジェクタ効果を利用して洗剤供給部９より洗剤を供給できるので、別途ポンプ等の供給手段を設ける必要がなく、コストを削減することができる。なお、洗剤供給部９から洗浄水流路３に供給される洗剤の量は洗浄水の洗剤希釈濃度が５０００〜１００００倍となるように設定してあり、このように洗剤の希釈濃度の高い気泡入り洗浄水とすることで、吐出口１２から多量の気泡を含むムース状の気泡入り洗浄水とすることができて洗浄効果を高めることができ、また適度の粘性を有する洗剤を含む気泡入り洗浄水を吐出でき、水はね防止効果を高めることができる。
【００３４】
上記操作スイッチ２６による洗剤供給の切り替え機構としては例えば図１４及び図１５に示す機構が採用される。図１４に示す吐出ノズル１４の外面にはタンク接続用部材４１を突設してあり、タンク接続用部材４１にはタンク接続口部４２を設けてある。タンク接続口部４２には洗剤タンク２１ａの先端部に突設した被接続口部４８が接続される。被接続口部４８を介して洗剤タンク２１ａ内に連通するタンク接続口部４２はタンク接続用部材４１の内部に形成した洗剤流路４３を介して洗剤供給部９に連通し、この洗剤流路４３が洗剤タンク２１ａから洗剤供給部９までの流路を構成する。
【００３５】
洗剤流路４３の途中に設けた開閉弁２２ａは、タンク接続用部材４１に移動自在に設けた押釦スイッチ２６ａに接続してある。押釦スイッチ２６ａはタンク接続用部材４１に設けたばね４０により開閉弁２２ａにて洗剤流路４３を遮断する方向に付勢されている。従って、開閉弁２２ａを開く場合は、図１５（ａ）に示すように押釦スイッチ２６ａをばね４０に抗してタンク接続用部材４１側に押し込む。また、図１５（ｂ）に示す押釦スイッチ２６ａの非押し込み時においては、前記ばね４０により開閉弁２２ａは洗剤流路４３を遮断する位置に移動し、洗剤タンク２１ａから洗剤供給部９への洗剤の供給が停止される。
【００３６】
内部流路１９の上流部１９ａに連通する中流部１９ｂはベンチュリ管状の流路としてあり、上流側の減圧部２３と下流側の増圧部２４で構成してある。減圧部２３は下流側に向かって流路径を縮小した流路からなり、増圧部２４は下流側に向かって流路径を拡大した流路からなり、該中流部１９ｂを通過する気泡入り洗浄水は減圧部２３及び増圧部２４を通過する際に生じる圧力変動に伴って含有する比較的大きな気泡が剪断され、これにより気泡が微細化される。また、中流部１９ｂ（増圧部２４）の下流側端部にはメッシュ２５を設けてあり、洗浄水に含まれる気泡はこのメッシュ２５を通過することで更に微細化される。即ち、本例では内部流路１９の中流部１９ｂとメッシュ２５で気泡微細化部１０を構成している。
【００３７】
内部流路１９の中流部１９ｂに連通する下流部１９ｃは流れ方向において断面が同一の円形となった整流部１１としてある。整流部１１は流路長さＬを整流部１１の直径ａの２〜５倍としてあり、また、洗浄水流路３の吐出口１２から吐出される洗浄水は、水圧１〜１．５ｋｇ／ｍ、流量５〜８Ｌ／ｍｉｎ、吐出口１２の直径４〜１０ｍｍ（より好ましくは６ｍｍ程度）に設定してあり、これにより、気泡微細化部１０を通過した気泡入り洗浄水は断面円形で流路長さの長い整流部１１を通過することで整流される。
【００３８】
整流部１１は吐出ノズル１４の先端に設けた吐出口１２に連続し、洗浄水流路３の下流側端部に位置し、整流部１１で整流された洗浄水が吐出口１２より直線状に吐出される。
【００３９】
洗浄水吐出装置１を用いてキッチンシンク１３の表面や食器等の被洗浄物を洗浄するには、吐出ノズル１４を移動して吐出口１２を被洗浄物に向け、この状態で流し台２等に設けた操作部（図示せず）を操作して止水弁６を開く。これにより水道上水４から洗浄水としての水道水が洗浄水流路３に供給され、該洗浄水は定流量弁５及び止水弁６を通過した後、立上管１５及びホース１６を介して吐出ノズル１４に供給され、吐出ノズル１４の内部流路１９を通過した後、吐出ノズル１４の先端の吐出口１２から洗浄水が吐出される。また、この時、吐出ノズル１４の内部流路１９においては、前述したように内部流路１９を流れる洗浄水に気体混入部８から気体（大気）が混入されて気泡入り洗浄水となり、この後、気泡微細化部１０において洗浄水に含まれる気泡が微細化されて微細気泡を有する洗浄水となり、該微細気泡入り洗浄水が整流部１１で整流された後、吐出口１２から吐出される。そして、このように吐出口１２から吐出された微細気泡を有する気泡入り洗浄水を被洗浄物に当てることで洗浄を行うものである。
【００４０】
また、上記止水弁６を開いた状態で吐出ノズル１４に設けた操作スイッチ２６を操作して開閉弁２２ａを開くことで、既述したように洗剤貯留部２１の液体洗剤を洗剤供給部９から吐出ノズル１４の内部流路１９を流れる洗浄水に洗剤を供給でき、これにより吐出ノズル１４の吐出口１２から整流部１１にて整流された洗剤を混入した気泡入り洗浄水を吐出できるようになっている。
【００４１】
また、上記吐出口１２からの洗浄水の吐出を停止するには前述の操作部を操作して止水弁６を閉じる。これにより水道上水４から洗浄水流路３への洗浄水の供給が停止され、大気開放弁７が開き、洗浄水流路３内は大気開放される。ここで吐出ノズル１４の吐出口１２は大気開放弁７よりも下方に位置するので、大気開放弁７が開いた際には洗浄水流路３の大気開放弁７よりも下流側部分に溜まった洗浄水が吐出口１２から排出される。また、これにより、洗剤を混入した気泡入り洗浄水を吐出した後に洗浄水流路３に残った洗剤等を洗浄水流路３から排出でき、未使用時に誤って洗剤を含む洗浄水が吐出口１２から吐出したり、止水弁６側に逆流することを防止できる。また、この場合、洗剤貯留部２１を移動自在の吐出ノズル１４に設けることで、洗剤貯留部２１に通じる洗剤供給部９を吐出口１２に近い吐出ノズル１４に簡単に設けることができ、前記残留洗剤の排出を確実に行うことができる。
【００４２】
以上説明した本例の洗浄水吐出装置１は洗浄水流路３に気体を混入する気体混入部８を設けることで、吐出口１２から洗浄効果の高い気泡入り洗浄水を吐出でき、被洗浄物を効率良く且つ効果的に洗浄できる。また、洗浄水流路３の下流側端部に洗浄水を整流する整流部１１を設けることで、気泡入り洗浄水を整流部１１にて整流した後に吐出口１２から吐出でき、このように気泡入り洗浄水を整流することで気泡入り洗浄水が被洗浄物に当たった際に水はねが生じることを防止できる。
【００４３】
また、本例では洗浄水流路３に洗浄水中の気泡を微細化する気泡微細化部１０を設けることで、吐出口１２から微細気泡入り洗浄水を吐出できる。この微細気泡入り洗浄水に含まれる微細気泡は泡径が非常に小さく、汚れへの付着性、浸透性、剥離効果が高いため、被洗浄物に付着した油汚れをより効果的に落とすことができる。また、この微細気泡は泡径が非常に小さく均一に含まれるために洗浄水の水流を乱しにくく、このため前述の水はねを一層防止できるという効果もある。また、気泡微細化部１０は洗剤供給部９よりも下流側に設けてあるので、洗剤を含むことで泡立ちが良い気泡入り洗浄水を気泡微細化部１０で微細化でき、気泡を一層微細化できるといった効果もある。
【００４４】
また、洗浄水流路３に洗剤を供給する洗剤供給部９を設けることで、既述のように吐出口１２から洗剤を混入した気泡入り洗浄水を吐出でき、洗剤の効果により気泡入り洗浄水の洗浄効果を一層高めることができる。また、洗剤の粘性により水はねを一層防止できる。また、この洗剤供給部９からの洗剤供給の有無は切替手段２２により切り替えることができるので、吐出口１２から洗剤を含まない気泡入り洗浄水と洗剤を含む気泡入り洗浄水を選択して吐出でき、洗剤を含む気泡入り洗浄水を吐出して洗浄を行った後に洗剤を含まない気泡入り洗浄水を吐出してすすぐ等できる。
【００４５】
以下、上記一例とは異なる気泡入り洗浄水吐出装置を列挙する。
【００４６】
図５に示す他例の気泡入り洗浄水吐出装置１は、図１の一例の気泡入り洗浄水吐出装置１において、止水弁６として、洗浄水流路３に流し台２のカウンタ１８上に設置した洗浄用水栓６ｂを設けると共に、定流量弁５を洗浄用水栓６ｂに設けている。洗浄用水栓６ｂには立上管１５の上流端が接続され、洗浄用水栓６ｂに設けた操作部を構成する操作レバー２８を操作することで、洗浄用水栓６ｂの開閉を行って洗浄水流路３の止水及び通水を切り替え可能としている。このように止水弁６として電磁弁６ａに代えて洗浄用水栓６ｂを設けることで電気系のない構成とすることができる。
【００４７】
図６及び図７に示す更に他例の気泡入り洗浄水吐出装置１は、図１の一例の気泡入り洗浄水吐出装置１において、洗浄水流路３の止水弁６よりも下流側の流路を、カウンタ１８から立ち上げた立上部３２の内部に形成した流路（図示せず）と、後端が立上部３２に接続されて縦軸回りに回動自在（首振り可能）に設けた供給管３０と、供給管３０の先端に設けた吐出ノズル１４で構成してある。このように流し台２上に立ち上げた立上部３２に回動自在な供給管３０を設け、該供給管３０の先端に吐出ノズル１４を設けることで、供給管３０を回動して吐出ノズル１４を移動でき、使い勝手が良い。また、大気開放弁７は立上部３２の上端部に設けている。供給管３０は立上部３２から斜め下方に向けて突出し、吐出ノズル１４の先端に設けた吐出口１２は大気開放弁７よりも下方に位置している。また、止水弁６を閉じると大気開放弁７が一例の気泡入り洗浄水吐出装置１と同様に開くものであり、これにより本例でも洗浄水流路３の大気開放弁７よりも下流側部分に溜まった洗浄水が吐出口１２から排出される。
【００４８】
図８に示す更に他例の気泡入り洗浄水吐出装置１は、図６の気泡入り洗浄水吐出装置１において、洗浄水流路３に止水弁６として流し台２のカウンタ１８上に設置した洗浄用水栓６ｂを設けると共に、定流量弁５及び大気開放弁７を洗浄用水栓６ｂに設けている。洗浄用水栓６ｂはカウンタ１８上に設置した水栓本体３１と、後端が水栓本体３１に接続されて縦軸回りに回動自在（首振り可能）に設けた供給管３０とで構成してあり、カウンタ１８から立ち上げた水栓本体３１で立上部３２を構成している。洗浄用水栓６ｂに設けた操作部を構成する操作レバー２８を操作することで、洗浄用水栓６ｂの開閉を行って洗浄水流路３の止水及び通水を切り替え可能としている。このように流し台２に立ち上げた水栓本体３１（立上部３２）に回動自在な供給管３０を設け、該供給管３０の先端に吐出ノズル１４を設けることで、供給管３０を回動して吐出ノズル１４を移動でき、使い勝手が良い。また、止水弁６として電磁弁６ａに代えて洗浄用水栓６ｂを設けることで電気系のない構成とすることができる。また、本例でも水栓本体３１の上端部に水栓本体３１内の洗浄水流路３に通じる大気開放弁７を設けることで、吐出ノズル１４の先端に設けた吐出口１２を大気開放弁７よりも下方に位置させており、このため本例でも洗浄用水栓６ｂを閉じると大気開放弁７が開き、洗浄水流路３の大気開放弁７よりも下流側部分に溜まった洗浄水が吐出口１２から排出される。
【００４９】
図９に示す更に他例の気泡入り洗浄水吐出装置１は、図１の一例の気泡入り洗浄水吐出装置１において、流し台２内を通る洗浄水流路３の止水弁６よりも下流側部分に大気開放弁７を設け、大気開放弁７を流し台２の上端部に配置してカウンタ１８上に露出させている。洗浄水流路３は大気開放弁７から下方に伸びた後、上方に折り返され、流し台２のカウンタ１８の上方に突出した位置でホース１６の一端に接続されている。前記洗浄水流路３の大気開放弁７から下方に伸びる部分には洗剤及び気体を混入するための洗剤・気体混入部３３を設けている。
【００５０】
洗剤・気体混入部３３は図示は省略するが一例の気泡入り洗浄水吐出装置１における吐出ノズル１４の内部に形成した図３に示す内部流路１９と略同様の構成を有する流路であり、図３の内部流路１９における上流部１９ａ及び中流部１９ｂで構成され、上流部１９ａには洗剤供給部９及び気体混入部８が設けられ、中流部１９ｂはベンチュリ管状の流路となっている。なお、この流路は図３に示す整流部１１、即ち下流部１９ｃは有していない。洗剤貯留部２１は流し台２に内装した洗剤タンク２１ａからなり、洗剤タンク２１ａの洗剤補給口３５はカウンタ１８上に露出している。
【００５１】
また、洗剤貯留部２１は流し台２内を通る洗剤供給路３４を介して洗剤・気体混入部３３の洗剤供給部９に接続してある。洗剤供給路３４には洗剤貯留部２１内の洗剤を洗剤供給部９を介して洗剤・気体混入部３３内を流れる洗浄水に供給するポンプ３６を設けている。ポンプ３６の運転は、電磁弁６ａからなる止水弁６の開閉に連動して止水弁６の開成時に駆動すると共に止水弁６の閉成時に停止するものである。また、洗剤供給路３４には電磁弁２２ｂを設けてあり、該電磁弁２２ｂを流し台２等に設けた操作部（図示せず）を操作して開閉することで、洗剤供給部９からの洗剤供給の有無を切り替えられるようになっている。即ち本例では電磁弁２２ｂで切替手段２２を構成している。
【００５２】
また、吐出ノズル１４には一例の気泡入り洗浄水吐出装置１の吐出ノズル１４の内部流路１９を形成しておらず、吐出ノズル１４の内部には先端の吐出口１２とホース１６の一端を接続する図示しない流路を形成してあり、該流路の下流側端部に図３に示す整流部１１と同様の整流部を設けている。また、ホース１６の長さは吐出ノズル１４の吐出口１２が大気開放弁７よりも下方に位置するまで吐出ノズル１４を移動できる長さとしてあり、即ち、吐出口１２を大気開放弁７よりも下方に配置可能となっている。このため本例でも止水弁６を閉じると大気開放弁７が一例の気泡入り洗浄水吐出装置１と同様に開き、この状態で吐出ノズル１４を移動して吐出口１２を大気開放弁７よりも下方に配置すれば、洗浄水流路３の大気開放弁７よりも下流側部分に溜まった洗浄水を吐出口１２から排出できる。
【００５３】
以上説明した本例の気泡入り洗浄水吐出装置１は、流し台２の内部に、定流量弁５、止水弁６、洗剤・気体混入部３３、ポンプ３６、洗剤貯留部２１の全てを配置でき、収まりが良い。また、吐出ノズル１４に洗剤貯留部２１を設けず、また、吐出ノズル１４を簡単な構成とでき、吐出ノズル１４の小型化及び軽量化を図り、手持ち式の吐出ノズル１４の使い勝手が良くなる。
【００５４】
図１０に示す更に他例の気泡入り洗浄水吐出装置１は、図９の気泡入り洗浄水吐出装置１において、洗浄水流路３に止水弁６として流し台２のカウンタ１８上に設置した洗浄用水栓６ｂを設け、定流量弁５を洗浄用水栓６ｂに設け、大気開放弁７を洗浄用水栓６ｂの上端部に設けている。そして、洗浄用水栓６ｂに設けた操作部を構成する操作レバー２８を操作することで、洗浄用水栓６ｂの開閉を行って洗浄水流路３の止水及び通水を切り替え可能としている。また、洗剤供給路３４にはポンプ３６及び電磁弁２２ｂを設けていない。即ち、本例では一例の気泡入り洗浄水吐出装置１と同様に、水道圧により洗浄水が洗浄水流路３を流れる際に発生する負圧を利用して洗剤貯留部２１内の洗剤を洗剤供給部９から洗浄水流路３に供給する。このように止水弁６として電磁弁６ａに代えて洗浄用水栓６ｂを設けることで、電気系のない構成とすることができる。なお、本例の気泡入り洗浄水吐出装置１の洗浄用水栓６ｂ、加えて図５、図６、図８、図１０の各例の洗浄水吐出装置１の洗浄用水栓６ｂは、上記一般の水栓カラン２７から離れた位置に設けてあっても良いし、水栓カラン２７と一体に設けてあっても良いものとする。
【００５５】
図１１に示す更に他例の気泡入り洗浄水吐出装置１は、図１の一例の気泡入り洗浄水吐出装置１において、洗剤貯留部２１を流し台２に内装した洗剤タンク２１ａで構成してあり、洗剤タンク２１ａの洗剤補給口３５はカウンタ１８上に露出している。洗剤貯留部２１は洗剤供給路３４を介して吐出ノズル１４の洗剤供給部９に接続してあり、洗剤供給路３４の吐出ノズル１４に接続される下流側部分は移動自在に設けた吐出ノズル１４の移動に支障がないよう可撓性を有すると共に充分長いホース３７で構成してある。また、洗剤供給路３４には洗剤貯留部２１内の洗剤を洗剤供給部９を介して吐出ノズル１４の内部流路１９を流れる洗浄水に供給するポンプ３６を設けている。ポンプ３６の運転は、電磁弁６ａからなる止水弁６の開閉に連動して止水弁６の開成時に駆動すると共に止水弁６の閉成時に停止するものである。また、洗剤供給路３４には電磁弁２２ｂを設けてあり、該電磁弁２２ｂを流し台２等に設けた操作部（図示せず）を操作して開閉することで、洗剤供給部９からの洗剤供給の有無を切り替えられるようになっている。即ち本例では電磁弁２２ｂで切替手段２２を構成している。
【００５６】
以上説明した本例の気泡入り洗浄水吐出装置１は、流し台２の内部に、ポンプ３６及び洗剤貯留部２１を配置できて収まりが良い。また、吐出ノズル１４に洗剤貯留部２１を設けないので、吐出ノズル１４の小型化及び軽量化を図り、手持ち式の吐出ノズル１４の使い勝手を良くできる。
【００５７】
図１２に示す更に他例の気泡入り洗浄水吐出装置１は、図１の一例の気泡入り洗浄水吐出装置１において、カウンタ１８から立ち上げた立上部３２に立上管１５を内装し、大気開放弁７を立上部３２の上端部に配置している。立上管１５の大気開放弁７から下方に伸びる部分には洗剤及び気体を混入するための洗剤・気体混入部３３を設けている。
【００５８】
洗剤・気体混入部３３は図示は省略するが一例の気泡入り洗浄水吐出装置１における吐出ノズル１４の内部に形成した図３に示す内部流路１９と略同様の構成を有する流路であり、図３の内部流路１９における上流部１９ａ及び中流部１９ｂで構成され、上流部１９ａには洗剤供給部９及び気体混入部８が設けられ、中流部１９ｂはベンチュリ管状の流路となっている。なお、この流路は図３に示す整流部１１、即ち下流部１９ｃは有していない。洗剤貯留部２１は流し台２の立上部３２に内装した洗剤タンク２１ａからなり、洗剤タンク２１ａの洗剤補給口は立上部３２の外部に露出している。洗剤貯留部２１は流し台２内を通る洗剤供給路３４を介して洗剤・気体混入部３３の洗剤供給部９に接続してある。洗剤供給路３４には電磁弁２２ｂを設けてあり、該電磁弁２２ｂを流し台２等に設けた操作部（図示せず）を操作して開閉することで、洗剤供給部９からの洗剤供給の有無を切り替えられるようになっている。即ち本例では電磁弁２２ｂで切替手段２２を構成している。
【００５９】
立上部３２には供給管３０の後端を接続してあり、該供給管３０は縦軸回りに回動自在（首振り可能）となっている。供給管３０の先端には吐出ノズル１４を設けてあり、該吐出ノズル１４には一例の気泡入り洗浄水吐出装置１の吐出ノズル１４の内部流路１９を形成しておらず、吐出ノズル１４の内部には先端の吐出口１２と供給管３０の先端を接続する図示しない流路を形成してあり、該流路の下流側端部に図３に示す整流部１１と同様の整流部を設けている。このように流し台２上に立ち上げた立上部３２に回動自在な供給管３０を設け、該供給管３０の先端に吐出ノズル１４を設けることで、供給管３０を回動して吐出ノズル１４を移動でき、使い勝手が良い。また、吐出ノズル１４の吐出口１２は大気開放弁７よりも下方に位置している。このため本例でも止水弁６を閉じると大気開放弁７が一例の気泡入り洗浄水吐出装置１と同様に開き、洗浄水流路３の大気開放弁７よりも下流側部分に溜まった洗浄水が吐出口１２から排出される。
【００６０】
以上説明した本例の気泡入り洗浄水吐出装置１は、流し台２のカウンタ１８上に立ち上げた立上部３２の内部に、立上管１５、洗剤・気体混入部３３、洗剤貯留部２１を配置でき、収まりが良い。また、吐出ノズル１４に洗剤貯留部２１を設けず、また吐出ノズル１４を簡単な構成とでき、吐出ノズル１４の小型化及び軽量化を図り、手で持って使用される吐出ノズル１４を使いやすいものとできる。
【００６１】
図１３に示す更に他例の気泡入り洗浄水吐出装置１は、図１２の気泡入り洗浄水吐出装置１において、立上管１５の大気開放弁７から下方に伸びる部分に洗剤・気体混入部３３に代えて洗剤供給部９を設けてあり、該洗剤供給部９を流し台２内を通る洗剤供給路３４を介して洗剤貯留部２１に接続してある。即ち、本例では一例の気泡入り洗浄水吐出装置１と同様に、水道圧により洗浄水が洗浄水流路３を流れる際に発生する負圧を利用して洗剤貯留部２１内の洗剤を洗剤供給部９から洗浄水流路３に供給する。洗剤供給路３４には洗剤貯留部２１から洗浄水流路３への洗剤の供給の有無を切り替えるための切替手段２２として開閉弁２２ａを設けている。開閉弁２２ａの操作スイッチ２６は立上部３２に設けてあり、該操作スイッチ２６を操作することで開閉弁２２ａの開閉が切り替えられる。
【００６２】
また、供給管３０の先端に設けた吐出ノズル１４には一例の気泡入り洗浄水吐出装置１の吐出ノズル１４の内部流路１９と略同様（詳しくは洗剤供給部９を設けていない）の内部流路を形成してあり、該内部流路に形成した気体混入部８から気泡となる気体を供給する。
【００６３】
また、図１６乃至図１８に示す更に他例の気泡入り洗浄水吐出装置１を示す。本例の気泡入り洗浄水吐出装置１は、操作スイッチ２６を操作して開閉弁２２ａを閉状態から開状態に切り替えた後に、次に操作スイッチ２６が操作されて開閉弁２２ａが閉じられるまで開閉弁２２ａを開状態に維持し、操作スイッチ２６を操作していない状態で洗剤貯留部２１から洗浄水流路３へ洗剤を供給できるようにしたものである。なお、以下の説明では図１の一例の気泡入り洗浄水吐出装置１と異なる点についてのみ説明する。
【００６４】
図１７に示すように吐出ノズル１４の外面には図１４及び図１５に示す例と同様にタンク接続用部材４１を突設してある。タンク接続用部材４１にはタンク接続口部４２を設けてあり、また、タンク接続口部４２はタンク接続用部材４１の内部に形成した洗剤流路４３を介して洗剤供給部９に連通している。
【００６５】
洗剤流路４３の途中に設けた開閉弁２２ａは、吐出ノズル１４のタンク接続用部材４１に対してスライド自在に設けたスライド弁２２ａ１からなり、スライド弁２２ａ１には図１８に示すように連通孔４５を貫通形成してある。
【００６６】
スライド弁２２ａ１の両側には操作スイッチ２６としてスライドスイッチ２６ｂ１、２６ｂ２を夫々設けてあり、両スライドスイッチ２６ｂ１、２６ｂ２はスライド弁２２ａ１のスライド方向にスライド自在に設けてある。両スライドスイッチ２６ｂ１、２６ｂ２のうち、いずれのスライドスイッチ２６ｂ１、２６ｂ２を押し込んだ場合にも、当該押し込んだスライドスイッチによりスライド弁２２ａ１が他のスライドスイッチ側に移動するようになっている。また、スライドスイッチ２６ｂ１を押し込んだ状態では、スライドスイッチ２６ｂ２の吐出ノズル１４に対する突出量がスライドスイッチ２６ｂ１のそれよりも大きくなり、逆にスライドスイッチ２６ｂ２を押し込んだ状態では、スライドスイッチ２６ｂ１の吐出ノズル１４に対する突出量がスライドスイッチ２６ｂ２のそれよりも大きくなる。
【００６７】
スライド弁２２ａ１による洗剤供給部９に洗剤を供給するか否かの切り替えは、前述のスライドスイッチ２６ｂ１、２６ｂ２を押し込むことで行われる。
【００６８】
即ち、スライドスイッチ２６ｂ１をスライドスイッチ２６ｂ２側に押し込むことにより、該スライドスイッチ２６ｂ１によりスライド弁２２ａ１及びスライドスイッチ２６ｂ２が押されてスライドスイッチ２６ｂ２側に移動する。これにより洗剤流路４３におけるスライド弁２２ａ１の上流側と下流側とがスライド弁２２ａ１の連通孔４５を介して連通し、洗剤供給部９に洗剤を供給できる状態となる。この連通状態はスライドスイッチ２６ｂ２が押し込まれるまで維持される。
【００６９】
また、スライドスイッチ２６ｂ２をスライドスイッチ２６ｂ１側に押し込むことにより、該スライドスイッチ２６ｂ２によりスライド弁２２ａ１及びスライドスイッチ２６ｂ１がスライドスイッチ２６ｂ１側に移動し、これにより洗剤流路４３はスライド弁２２ａ１により遮断され、洗剤供給部９に洗剤を供給できない状態となる。この遮断状態はスライドスイッチ２６ｂ１が押し込まれるまで維持される。
【００７０】
このように操作スイッチ２６の非操作時において洗剤供給部９から洗剤を供給する状態が維持されるようにしたことで、洗剤供給時において操作スイッチ２６を押し操作し続ける必要がない。従って、洗剤を含む洗浄水により被洗浄物を洗浄する作業が容易になり、特に食器等を洗浄する際には両手を使って被洗浄物を洗浄したりすすいだりすることができて良い。
【００７１】
なお、本例では、洗浄水流路３の下流側端部にシャワーヘッド４６を設けている。吐出口１２はシャワーヘッド４６に設けた多数（複数）の吐出孔４７で構成してある。各吐出孔４７は流れ方向において断面が同一の円形となった整流部としてあり、図示は省略するが、各整流部は既述の整流部１１と同様に流路長さＬを直径ａの２〜５倍としてある。なお、本例でも図１や図１４の例における整流部１１を採用しても良いものとする。また、本例は図５や図６、図８等の例にも適用可能であることは言うまでもない。
【図面の簡単な説明】
【００７２】
【図１】本発明の実施の形態の一例の気泡入り洗浄水吐出装置を示す概略説明図である。
【図２】同上の気泡入り洗浄水吐出装置を設けた流し台の斜視図である。
【図３】同上の吐出ノズルの概略説明図である。
【図４】同上の吐出ノズルの斜視図である。
【図５】他例の気泡入り洗浄水吐出装置の要部概略説明図である。
【図６】更に他例の気泡入り洗浄水吐出装置の概略説明図である。
【図７】同上の気泡入り洗浄水吐出装置を設けた流し台の斜視図である。
【図８】更に他例の気泡入り洗浄水吐出装置の要部概略説明図である
【図９】更に他例の気泡入り洗浄水吐出装置の概略説明図である。
【図１０】更に他例の気泡入り洗浄水吐出装置の概略説明図である。
【図１１】更に他例の気泡入り洗浄水吐出装置の概略説明図である。
【図１２】更に他例の気泡入り洗浄水吐出装置の概略説明図である。
【図１３】更に他例の気泡入り洗浄水吐出装置の概略説明図である。
【図１４】一例の気泡入り洗浄水吐出装置の吐出ノズルの断面図である。
【図１５】同上の吐出ノズルの要部断面図であり、（ａ）は開閉弁を開いた状態を示し、（ｂ）は開閉弁を閉じた状態を示す。
【図１６】更に他例の気泡入り洗浄水吐出装置の吐出ノズルの斜視図である。
【図１７】同上の吐出ノズルの断面図である。
【図１８】同上の吐出ノズルの一部断面斜視図であり、（ａ）はスライド弁を開いた状態を示し、（ｂ）はスライド弁を閉じた状態を示す斜視図である。
【符号の説明】
【００７３】
１  気泡入り洗浄水吐出装置
２  流し台
３  洗浄水流路
６  止水弁
７  大気開放弁
８  気体混入部
１０  気泡微細化部
１１  整流部
１２  吐出口
１３  キッチンシンク
１４  吐出ノズル
１６  ホース
２１  洗剤貯留部
２７  水栓
２６  操作スイッチ
２６ａ  押釦スイッチ
３０  供給管
【図１】
0004915960.tif 000002
【図２】
0004915960.tif 000003
【図３】
0004915960.tif 000004
【図４】
0004915960.tif 000005
【図５】
0004915960.tif 000006
【図６】
0004915960.tif 000007
【図７】
0004915960.tif 000008
【図８】
0004915960.tif 000009
【図９】
0004915960.tif 000010
【図１０】
0004915960.tif 000011
【図１１】
0004915960.tif 000012
【図１２】
0004915960.tif 000013
【図１３】
0004915960.tif 000014
【図１４】
0004915960.tif 000015
【図１５】
0004915960.tif 000016
【図１６】
0004915960.tif 000017
【図１７】
0004915960.tif 000018
【図１８】
0004915960.tif 000019